(57)【要約】【課題】  照明器具において、シェード交換を容易に行えるようにし、かつ室内等の消臭、除菌のある効果を奏させる。【解決手段】  筒状のシェード１０の内部に光源が装着された照明器具であって、シェード１０の上端及び下端に開口部１４、１６が形成され、シェード１０の外周にシェード支持体１８が設けられ、シェード１０の下端開口部１６の下側にシェード受け部材が設けられ、シェード１０を上方向に抜くことにより、シェード１０を交換できるように構成する。シェード支持体としては、円筒状の多孔支持体、複数本の棒状体を円筒状に配置してなる支持体が用いられる。シェード１０は、和紙、洋紙、不織布及び合成紙のいずれかを主成分としており、光源は、蛍光灯、白熱灯及びＬＥＤのいずれかが用いられる。また、シェードには酸化チタンが含まれている。【選択図】  図１
2007165230.tif 000002
【特許請求の範囲】
【請求項１】
筒状のシェードの内部に光源が装着された照明器具であって、シェードの上端及び下端に開口部が形成され、シェードの外周にシェード支持体が設けられ、シェードの下端開口部の下側にシェード受け部材が設けられ、シェードを上方向に抜くことにより、シェードを交換できるようにしたことを特徴とするシェードの交換可能な照明器具。
【請求項２】
シェード支持体が円筒状の多孔支持体である請求項１記載のシェードの交換可能な照明器具。
【請求項３】
シェード支持体が複数本の棒状体を円筒状に配置してなる請求項１記載のシェードの交換可能な照明器具。
【請求項４】
シェード支持体の下端が内側に折り曲げられて、シェード受け部材を構成してなる請求項１、２又は３記載のシェードの交換可能な照明器具。
【請求項５】
シェード支持体の下側に複数本の棒状体を放射状に配置してシェード受け部材を構成してなる請求項１、２又は３記載のシェードの交換可能な照明器具。
【請求項６】
長手方向の前端及び後端にフランジ部を備えたシェードの内部に光源が装着された照明器具であって、シェードの右端及び左端に開口部が形成され、シェードの長手方向の上側にシェードのフランジ部を上下から挟持するための二段の挟持片からなるシェード支持体が設けられ、このシェード支持体の下段の挟持片の一方が開閉可能に構成され、この一方の挟持片を開としてシェードを横方向に抜くことにより、シェードを交換できるようにしたことを特徴とするシェードの交換可能な照明器具。
【請求項７】
シェードが和紙、洋紙、不織布及び合成紙のいずれかを主成分としている請求項１〜６のいずれかに記載のシェードの交換可能な照明器具。
【請求項８】
光源が蛍光灯、白熱灯及びＬＥＤのいずれかである請求項１〜７のいずれかに記載のシェードの交換可能な照明器具。
【請求項９】
シェードが酸化チタンを含んでいる請求項１〜８のいずれかに記載のシェードの交換可能な照明器具。
【発明の詳細な説明】
【技術分野】
【０００１】
本発明は、行灯、ランプ、スタンド等のシェード交換が可能な照明器具で、かつ消臭、除菌等の効果を有する照明器具に関するものである。
【背景技術】
【０００２】
従来、提灯、ランプ、スタンド等の照明器具として、シェード部に酸化チタンが具備され、このシェード部の上部及び下部に開口部が形成され、しかも、下部開口部は上部開口部よりも幅広に形成されている構成のものが知られている（例えば、特許文献１参照）。
【特許文献１】特開２００３−２０８８０９号公報（第２頁、図１）
【０００３】
しかし、従来の照明器具においては、そのシェードは購入時に付属しているものを専ら使用するものであり、それ以外のシェードに交換できるようなものは開発されていない。
【発明の開示】
【発明が解決しようとする課題】
【０００４】
解決しようとする問題点は、光源を覆うシェードを簡単に交換できるようにし、シェードを広告媒体として機能させる点にある。
【課題を解決するための手段】
【０００５】
本発明は、シェードの交換を容易に行うことができる構成することにより、室内等の照明機能以外に、簡単にシェードを交換する機能を持たせることで、室内等の雰囲気を演出するインテリアとしての機能と、ロゴや広告文をシェードに印刷することにより、宣伝媒体としての機能を持たせることを最も重要な特徴とする。
また、シェードに酸化チタンを含有させることにより、室内等の消臭、除菌等を奏するようにしたことを特徴とする。
【０００６】
本発明のシェードの交換可能な照明器具は、筒状のシェードの内部に光源が装着された照明器具であって、シェードの上端及び下端に開口部が形成され、シェードの外周にシェード支持体が設けられ、シェードの下端開口部の下側にシェード受け部材が設けられ、シェードを上方向に抜くことにより、シェードを交換できるようにしたことを特徴としている（図１〜図７参照）。
【０００７】
この照明器具において、シェード支持体は、円筒状の多孔支持体で構成される。または、シェード支持体は、複数本の棒状体を円筒状に配置してなるように構成される。
【０００８】
シェード支持体の下端が内側に折り曲げられて、シェード受け部材を構成したり、シェード支持体の下側に複数本の棒状体を放射状に配置してシェード受け部材を構成したりする。
【０００９】
また、本発明のシェードの交換可能な照明器具は、長手方向の前端及び後端にフランジ部を備えたシェードの内部に光源が装着された照明器具であって、シェードの右端及び左端に開口部が形成され、シェードの長手方向の上側にシェードのフランジ部を上下から挟持するための二段挟持片からなるシェード支持体が設けられ、このシェード支持体の下段の挟持片の一方が開閉可能に構成され、この一方の挟持片を開としてシェードを横方向に抜くことにより、シェードを交換できるようにしたことを特徴としている（図８〜図１０参照）。
【００１０】
これらの照明器具において、シェードが和紙、洋紙、不織布及び合成紙のいずれかを主成分として構成され、光源が蛍光灯、白熱灯及びＬＥＤのいずれかであるように構成されている。そして、シェードが酸化チタンを含んでいるように構成することが好ましい。
【発明の効果】
【００１１】
本発明のシェードの交換可能な照明器具は、シェードを一方向に抜くだけで、きわめて容易に取り外すことができ、また、シェードを丸めてシェード支持体内に挿入することにより、シェードが外側に広がろうとする力で、シェード支持体内に密着して、容易に取り付けることができる。また、シェードに酸化チタンを含ませることにより、光との反応で室内等の消臭、除菌等の作用を発揮させることができる。
【発明を実施するための最良の形態】
【００１２】
照明器具のシェードを容易に交換するという目的を、シェードの外周にシェード支持体を設けるか、又はシェードのフランジ部を挟持するシェード支持体を設けることにより実現した。
【００１３】
以下、本発明の実施の形態について説明するが、本発明は下記の実施の形態に何ら限定されるものではなく、適宜変更して実施することができるものである。図１〜図４は、本発明の実施の第１形態によるシェードの交換可能な照明器具を示している。
【００１４】
図１〜図４に示すように、本例の照明器具は、筒状のシェード１０の内部に光源１２が装着されており、シェード１０の上端及び下端に開口部１４、１６が形成され、シェード１０の外周にシェード支持体１８が設けられている。シェード１０の下端開口部１６の下側にシェード受け部材２０が設けられ、シェード１０を上方向に抜くことにより、シェード１０を交換できるように構成されている。２２は縦支持体、２４は横支持体である。
【００１５】
そして、シェード支持体１８は、円筒状の多孔支持体となっている。多孔支持体としては、網状体、格子状体、スリット状体等を挙げることができる。シェード支持体１８としては、鉄、真ちゅう、アルミニウム、銅等の金属、木材、合成樹脂等が用いられる。図４に示すように、シェード支持体１８の下端は、内側に折り曲げられて、シェード受け部材２０が構成される。２６は折り曲げ部、２８は開口部である。
【００１６】
シェード１０としては、和紙及び和紙と他の素材を組み合わせた複合体、洋紙及び洋紙と他の素材を組み合わせた複合体、不織布及び不織布と他の素材を組み合わせた複合体、合成紙及び合成紙と他の素材を組み合わせた複合体等が用いられる。他の素材としてはＰＥＴ（ポリエチレンテレフタレート）等の合成樹脂の薄板及びフィルム、布等を挙げることができる。
【００１７】
光源１２としては、蛍光灯、白熱灯、ＬＥＤ（発光ダイオード）等が用いられる。また、シェード１０には、酸化チタン等の光触媒を含有させておくことが好ましい。このようにすれば、光源１２からの光線により、室内等の消臭、除菌等の効果を奏させることができる。              
【００１８】
上記のように構成された照明器具において、シェード１０を丸めて装着することにより、シェード１０が外側に広がろうとする力が、シェード自身を支持体１８に押しつけるように作用するため、構造が簡略化でき、シェード１０の交換が容易となる。
また、シェード１０に和紙をはじめとする印刷や手描きの可能な素材を用いることで、照明器具自体を変えることなく、シェード１０のみを交換するだけで、その場の雰囲気を変えることができる。また、シェード１０を和紙等で構成することで、図柄や広告文をあらかじめ印刷したものや、手書きで絵や文字を描いたものを作ることができ、広告媒体としての機能を簡便に有することが可能となる。
【００１９】
図５〜図７は、本発明の実施の第２形態によるシェードの交換可能な照明器具を示している。本例は、シェード支持体１８ａが複数本の棒状体３０を円筒状に配置してなるように構成したものである。そして、シェード支持体１８ａの下側に複数本の棒状体３２を放射状に配置してシェード受け部材３４を構成している。２２ａは縦支持体である。他の構成及び作用は実施の第１形態の場合と同様である。
【００２０】
図８〜図１０は、本発明の実施の第３形態によるシェードの交換可能な照明器具を示している。本例は、長手方向の前端及び後端にフランジ部（鍔部）３６を備えたシェード３８の内部に光源４０が装着された照明器具であって、シェード３８の右端及び左端に開口部４２、４４が形成され、シェード３８の長手方向の上側にシェードのフランジ部３６を上下から挟持するための二段挟持片４８、５０からなるシェード支持体５２が設けられ、このシェード支持体５２の下段の挟持片５０の一方が開閉可能に構成され、この一方の挟持片５０を開としてシェード３８を横方向に抜くことにより、シェード３８を交換できるように構成されている。左右の支持体５２の一方にはヒンジがついており、開閉が可能となっている。上下の支持体の間にシェードのフランジ部３６を挟みこんで、シェードを装着する。この場合の光源は、例えば蛍光灯である。他の構成及び作用は実施の第１形態の場合と同様である。
【図面の簡単な説明】
【００２１】
【図１】本発明の実施の第１形態によるシェードの交換可能な照明器具を示す正面図である。
【図２】図１におけるＡ−Ａ線断面図である。
【図３】図１におけるＢ−Ｂ線断面図である。
【図４】シェード受け部材まわりの断面説明図である。
【図５】本発明の実施の第２形態によるシェードの交換可能な照明器具を示す正面図である。
【図６】図５におけるＣ−Ｃ線断面図である。
【図７】図６におけるＤ−Ｄ線断面図である。
【図８】本発明の実施の第３形態によるシェードの交換可能な照明器具を示す正面図である。
【図９】図８におけるＥ−Ｅ線断面図である。
【図１０】図９におけるＦ−Ｆ線断面図である。
【符号の説明】
【００２２】
１０、３８  シェード
１２、４０  光源
１４  上端開口部
１６  下端開口部
１８、１８ａ、５２  シェード支持体
２０、３４  シェード受け部材
２２、２２ａ  縦支持体
２４  横支持体
２６  折り曲げ部
２８  開口部
３０、３２  棒状体
３６  フランジ部
４２  右側開口部
４４  左側開口部
４８  上段挟持片
５０  下段挟持片
【図１】
2007165230.tif 000003
【図２】
2007165230.tif 000004
【図３】
2007165230.tif 000005
【図４】
2007165230.tif 000006
【図５】
2007165230.tif 000007
【図６】
2007165230.tif 000008
【図７】
2007165230.tif 000009
【図８】
2007165230.tif 000010
【図９】
2007165230.tif 000011
【図１０】
2007165230.tif 000012